(57)【要約】【課題】本考案は、格別な専門知識を必要とすることなく、誰でも簡単に樹脂板に対して効率よく短時間で所望の画像の印刷を行い、所望色や模様が付された例えば付け爪のような成型体を効率よく得ることができる樹脂板の印刷成型システムを提供する。【解決手段】本考案の印刷成型システムは、カメラ付きの携帯電話１７等の記録メディア１８に記録した画像又はパーソナルコンピュータ１９により作成した画像を基に拡大縮小処理、ひずみ補正、トリミング処理等、画像処理全般の操作を行い所望の成型イメージ画像を作成する成型制御コンピュータ１と、この成型制御コンピュータ１の制御の基に樹脂板に対する成型イメージ画像の印刷、印刷済の樹脂板の所望形状の成型体への成型加工を行う印刷・成型装置３と、成型制御コンピュータ１の制御の基に成型イメージ画像の保存管理を行うデータベース２とを有するものである。【選択図】図１
0003118991.tif 000002
【実用新案登録請求の範囲】
【請求項１】
カメラ付きの携帯情報端末の記録メディアに記録した画像又はパーソナルコンピュータにより作成した画像を基に所望の成型イメージ画像を作成する成型制御コンピュータと、
この成型制御コンピュータの制御の基に樹脂板に対する成型イメージ画像の印刷、印刷済の樹脂板の所望形状の成型体への成型加工を行う印刷・成型装置と、
を有することを特徴とする樹脂板の印刷成型システム。
【請求項２】
カメラ付きの携帯情報端末の記録メディアに記録した画像又はパーソナルコンピュータにより作成した画像を基に拡大縮小処理、ひずみ補正、トリミング処理等、画像処理全般の操作を行い所望の成型イメージ画像を作成する成型制御コンピュータと、
この成型制御コンピュータの制御の基に樹脂板に対する成型イメージ画像の印刷、印刷済の樹脂板の所望形状の成型体への成型加工を行う印刷・成型装置と、
前記成型制御コンピュータの制御の基に前記成型イメージ画像の保存管理を行うデータベースと、
を有することを特徴とする樹脂板の印刷成型システム。
【請求項３】
カメラ付きの携帯情報端末の記録メディアに記録した画像又はパーソナルコンピュータにより作成した画像を保存し、これらの画像を基に所望の成型イメージ画像を作成する任意数のクライアントコンピュータと、
このクライアントコンピュータと通信ネットワークを介して接続され、前記成型イメージ画像を受信する成型制御コンピュータと、
この成型制御コンピュータの制御の基に樹脂板に対する成型イメージ画像の印刷、印刷済の樹脂板の所望形状の成型体への成型加工を行う印刷・成型装置と、
を有することを特徴とする樹脂板の印刷成型システム。
【請求項４】
カメラ付きの携帯情報端末の記録メディアに記録した画像又はパーソナルコンピュータにより作成した画像を保存し、これらの画像を基に拡大縮小処理、ひずみ補正、トリミング処理等、画像処理全般の操作を行い所望の成型イメージ画像を作成する任意数のクライアントコンピュータと、
このクライアントコンピュータと通信ネットワークを介して接続され、前記成型イメージ画像の受信及び前記クライアントコンピュータへの成型完了通知を行う成型制御コンピュータと、
この成型制御コンピュータの制御の基に樹脂板に対する成型イメージ画像の印刷、印刷済の樹脂板の所望形状の成型体への成型加工を行う印刷・成型装置と、
前記成型制御コンピュータの制御の基に前記成型イメージ画像の保存管理を行うデータベースと、
を有することを特徴とする樹脂板の印刷成型システム。
【請求項５】
画像送信を行うカメラ付きの携帯情報端末又は任意数のクライアントコンピュータと、
前記携帯情報端末又はクライアントコンピュータから送信される前記画像を基に所望の成型イメージ画像を作成する成型イメージ作成サービスサーバーと、
成型イメージ作成サービスサーバーから送信される成型イメージ画像の樹脂板に対する印刷、印刷済の樹脂板の所望形状の成型体への成型加工を行う印刷・成型装置を備えた成型制御コンピュータと、
をインターネット網で接続したことを特徴とする特徴とする樹脂板の印刷成型システム。
【請求項６】
画像送信を行うカメラ付きの携帯情報端末又は任意数のクライアントコンピュータと、
前記携帯情報端末又はクライアントコンピュータから送信される前記画像を基に拡大縮小処理、ひずみ補正、トリミング処理等、画像処理全般の操作を行い所望の成型イメージ画像を作成するとともに、成型イメージ画像の保存管理を行うデータベースを備えた成型イメージ作成サービスサーバーと、
成型イメージ作成サービスサーバーから送信される成型イメージ画像の樹脂板に対する印刷、印刷済の樹脂板の所望形状の成型体への成型加工を行う印刷・成型装置を備えた成型制御コンピュータと、
をインターネット網で接続したことを特徴とする特徴とする樹脂板の印刷成型システム。
【請求項７】
画像送信を行うカメラ付きの携帯情報端末又は任意数のクライアントコンピュータと、
前記携帯情報端末又はクライアントコンピュータから送信される前記画像を基に拡大縮小処理、ひずみ補正、トリミング処理等、画像処理全般の操作を行い所望の成型イメージ画像を作成するとともに、成型イメージ画像の保存管理を行うデータベースを備えた成型イメージ作成サービスサーバーと、
成型イメージ作成サービスサーバーから送信される成型イメージ画像の樹脂板に対する印刷、印刷済の樹脂板の所望形状の成型体への成型加工を行う印刷・成型装置を備えた成型制御コンピュータと、
をインターネット網で接続した樹脂板の印刷成型システムであって、
前記成型イメージ作成サービスサーバーは、ＣＧＩプロググラムを搭載し、
前記携帯情報端末又は任意数のクライアントコンピュータと成型イメージ作成サービスサーバー間で、所望の成型体用の画像の送受信、オーダー確認、成型イメージ作成サービスサーバーにて作成した成型イメージ画像のユーザー確認、代金決済処理、オーダー完了処理を行い、
成型イメージ作成サービスサーバーと成型制御コンピュータとの間で、成型制御コンピュータの管理担当者への受注通知、オーダー確認用のオーダー一覧画面の送信、オーダー詳細情報の送信、作成した成型イメージ画像の送信を行うことを特徴とする樹脂板の印刷成型システム。
【請求項８】
前記成型イメージ画像は、樹脂板画像に成型部分としての付け爪に相当する画像を付した画像であることを特徴とする請求項１乃至７のいずれかに記載の樹脂板の印刷成型システム。
【請求項９】
樹脂板に対して成型部分の画像印刷を行う印刷手段と、
成型部分の画像印刷済みの樹脂板を固定し、この樹脂板を加熱する加熱部の移動と、前記成型部分の成型を行う上下の金型のいずれか一方の移動とにより樹脂板に対する加熱、成型を行い、所望形状の成型体を得る樹脂成型装置と
を有することを有することを特徴とする樹脂板の印刷・成型装置。
【請求項１０】
前記樹脂板上の成型部分は、付け爪に相当するものである請求項９記載の樹脂板の印刷・成型装置。
【考案の詳細な説明】
【技術分野】
【０００１】
本考案は、樹脂板に成型部分の印刷を行い、種々の形状に成型する樹脂板の印刷成型システム及び樹脂板の印刷・成型装置に関するものである。
【背景技術】
【０００２】
樹脂板上に種々の画像を印刷する技術は従来からあるが（例：テレフォンカード等）、印刷後に樹脂板を好みの形状に成型することは、極めて困難であった。
例えば、付け爪（以下「チップ」と略す）作成を例にとると、チップに色を付けることは成型時に可能であるが、チップ上に絵柄等（デザイン画等）を描くには専門の技術が必要であり、相当な金額と時間と費やしていた。
【０００３】
また、写真等のような繊細な画像を描くことは難しく、このため、簡易的にシールに画像印刷を行い、それをチップ上に貼り付けて代用としていた。
【０００４】
チップに限らず、成型後の素材の曲面に印刷を行う技術はパット印刷等、専門分野では可能であるが、多大な設備投資が必要になる
【０００５】
また、デザイナーが専門のデザインソフトウェア（たとえば、フォトショップやイラストレータ等）を使用してデザイン画を制作することも時間がかかり大変な作業である。
【０００６】
また、素材の成型を行う場合、予め素材である印刷済みの樹脂板を加熱する必要があるが、加熱により樹脂板が柔らかくなり、成型する為の樹脂板の移動が非常に困難となる。
【０００７】
従来においても、事前に抜き型により加工された樹脂板に対しプリンタを使用して模様等を印刷し、樹脂成型するシステムが知られているが、このシステムでは、パーソナルコンピュータ上の画像処理専用デザインソフトウェアを使用して樹脂型に合わせて模様をデザインして印刷を行い、樹脂板に対する樹脂成型操作を行うものである。
【０００８】
しかし、この場合にはパーソナルコンピュータ上の画像処理専用デザインソフトウェアを使用する際のすべての操作がオフライン操作であり、画像処理専用デザインソフトウェアの専門的な知識が必要である。
【０００９】
また、デジタルカメラや携帯電話に保存された画像を樹脂板に印刷し、樹脂成型する装置において、１枚のメモリーカード又は携帯電話に保存されている画像の枚数は数十枚と比較的多い場合が大半である。それらの画像をメモリーカードのような記録メディアからパーソナルコンピュータの記憶手段に保存し樹脂板の成型操作をするには多くの時間を要し、装置の回転率が低下してしまう。
【００１０】
特許文献１には、支持体に取り付けた一面に爪部を備える写真画像被転写体に再転写印刷法により顔写真等を印刷し、この写真画像被転写体を支持体から取り外した後、爪部を内側に曲げながら成形体に固着することで得られる立体的形状の写真画像付成形体が提案されている。
【００１１】
しかし、この特許文献１の写真画像付成形体の場合、この写真画像付成形体を製造するに際して、コンピュータ技術を利用するものではなく、誰でも簡単に且つ効率よく短時間で写真画像付成形体を製造することは困難である。
【００１２】
特許文献２には、装置自体に、予め多数の付け爪用表示の画像データを用意して、利用者の選択に応じて特定の付け爪用表示を基材に印刷することで付け爪を得るように構成した付け爪製造装置が提案されている。
【００１３】
しかし、この特許文献２の場合には、多数の付け爪用表示の画像データを予め装置に用意しておく構成であり、利用者自身が用意した好みの画像を基に付け爪を得るように構成されたものではない。
【特許文献１】特開２００５−３１６号公報
【特許文献２】特開２００２−１７２０１８号公報
【考案の開示】
【考案が解決しようとする課題】
【００１４】
本考案が解決しようとする課題は、格別な専門知識を必要とすることなく、コンピュータを利用して誰でも簡単に樹脂板に対して効率よく短時間で所望の画像の印刷を行い、所望色や模様が付された例えば付け爪のような成型体を効率よく得ることができる樹脂板の印刷成型システムが存在しない点である。
【課題を解決するための手段】
【００１５】
本考案の樹脂板の印刷成型システムは、カメラ付きの携帯情報端末の記録メディアに記録した画像又はパーソナルコンピュータにより作成した画像を基に所望の成型イメージ画像を作成する成型制御コンピュータと、この成型制御コンピュータの制御の基に樹脂板に対する成型イメージ画像の印刷、印刷済の樹脂板の所望形状の成型体への成型加工を行う印刷・成型装置と、を有することを最も主要な特徴とする。
【考案の効果】
【００１６】
本考案によれば、以下の効果を奏する。
請求項１、２記載の考案によれば、カメラ付きの携帯情報端末の記録メディアに記録した画像又はパーソナルコンピュータにより作成した画像を基に、格別な専門知識を必要とすることなく、成型制御コンピュータを利用して誰でも簡単に成型イメージ画像を作成し、印刷・成型装置により樹脂板に対して効率よく短時間で所望の成型イメージ画像の印刷を行い、更に所望色や模様が付された例えば付け爪のような成型体を効率よく得ることができる。また、成型イメージ画像の保存管理を行うデータベースを備えた構成とすることにより、データベースに保存管理した既存の成型イメージ画像を迅速に検索してこれを基に所望の画像の印刷を行い、所望色や模様が付された例えば付け爪のような成型体を効率よく得ることができる。
【００１７】
請求項３、４記載の考案によれば、クライアントコンピュータの使用者がカメラ付きの携帯情報端末の記録メディアに記録した画像又はパーソナルコンピュータにより作成した画像を基に、格別な専門知識を必要とすることなく成型イメージ画像を作成し、この成型イメージ画像を通信ネットワークを介して成型制御コンピュータに送ることで、印刷・成型装置により樹脂板に対して効率よく短時間で所望の成型イメージ画像の印刷を行い、更に所望色や模様が付された例えば付け爪のような成型体を効率よく得ることができる。
【００１８】
また、成型イメージ画像の保存管理を行うデータベースを備えた構成とすることにより、データベースに保存管理した既存の成型イメージ画像を迅速に検索してこれを基に所望の画像の印刷を行い、所望色や模様が付された例えば付け爪のような成型体を効率よく得ることができる。
【００１９】
請求項５、６記載の考案によれば、カメラ付きの携帯情報端末又は任意数のクライアントコンピュータからの画像をインターネット網を利用して成型イメージ作成サービスサーバーに送ることで、この成型イメージ作成サービスサーバーにより格別な専門知識を必要とすることなく前記クライアントコンピュータからの画像を基にした成型イメージ画像が作成され、この成型イメージ画像はインターネット網を利用して成型制御コンピュータに送られ、印刷・成型装置によって前記クライアントコンピュータからの画像を基にした成型イメージ画像が樹脂板に対して効率よく短時間で印刷され、更に所望色や模様が付された例えば付け爪のような成型体を効率よく得ることができる。
【００２０】
また、成型イメージ作成サービスサーバーに成型イメージ画像の保存管理を行うデータベースを備える構成とすることで、このデータベースに保存管理した既存の成型イメージ画像を例えば付け爪のような成型体の作成のために効率よく利用することができる。
【００２１】
請求項７記載の考案によれば、前記請求項５、６記載の考案と同様な効果を奏することに加え、成型イメージ作成サービスサーバーにＣＧＩプロググラムを搭載し、携帯情報端末又は任意数のクライアントコンピュータと成型イメージ作成サービスサーバー間及び成型イメージ作成サービスサーバーと成型制御コンピュータ間でインターネット網を利用してカメラ付きの携帯情報端末又は任意数のクライアントコンピュータからの画像に関連するオーダー確認、成型イメージ画像のユーザー確認、代金決済処理、オーダー完了処理、更には成型制御コンピュータの管理担当者への受注通知、オーダー確認用のオーダー一覧画面の送信、オーダー詳細情報の送信、作成した成型イメージ画像の送信等の一連の処理が迅速、且つ、確実に実行され、印刷・成型装置によってクライアントコンピュータからの画像を基にした成型イメージ画像が樹脂板に対して効率よく短時間で印刷され、更に所望色や模様が付された例えば付け爪のような成型体を効率よく得ることができる。
【００２２】
請求項８記載の考案によれば、請求項１乃至７のいずれかに記載の樹脂板の印刷成型システムにおいて、前記成型イメージ画像を、樹脂板画像に成型部分としての付け爪に相当する画像を付した画像とするものであるから、各々の樹脂板の印刷成型システムを付け爪として使用する成型体を得るために機能させることができ、請求項１乃至７の各考案の効果を各々発揮させることができる。
【００２３】
請求項９、１０記載の考案によれば、印刷手段によって樹脂板に対して付け爪に相当するような成型部分の画像印刷が行われた後、樹脂板を固定し、この樹脂板を加熱する加熱部の移動と、前記成型部分の成型を行う上下の金型のいずれか一方の移動とにより樹脂板に対する加熱、成型を行い所望の成型体、例えば付け爪を得るものであるから、樹脂板の変形や冷めを回避しつつ正確に所望の成型体を得ることができる樹脂板の印刷・成型装置を提供することができる。
【考案を実施するための最良の形態】
【００２４】
本考案は、格別な専門知識を必要とすることなく、コンピュータを利用して誰でも簡単に樹脂板に対して効率よく短時間で所望の画像の印刷を行い、所望色や模様が付された例えば付け爪のような成型体を効率よく得ることができる樹脂板の印刷成型システムを提供するという目的を、カメラ付きの携帯情報端末の記録メディアに記録した画像又はパーソナルコンピュータにより作成した画像を基に拡大縮小処理、ひずみ補正、トリミング処理等、画像処理全般の操作を行い所望の成型イメージ画像を作成する成型制御コンピュータと、この成型制御コンピュータの制御の基に樹脂板に対する成型イメージ画像の印刷、印刷済の樹脂板の所望形状の成型体への成型加工を行う印刷・成型装置と、前記成型制御コンピュータの制御の基に前記成型イメージ画像の保存管理を行うデータベースと、を有する構成により実現した。
【実施例】
【００２５】
以下に本考案の実施例に係る樹脂板の印刷成型システムについて詳細に説明する。
（実施例１）
図１は、本実施例１に係る樹脂板５０の印刷成型システムの基本構成を示すものであり、この樹脂板の印刷成型システムは、成型制御コンピュータ１と、成型制御コンピュータ１に接続した例えばハードディスク（ＨＤＤ）等を用いたデータベース２と、樹脂板５０に対する所望の画像の印刷及び樹脂板５０の成型を行う印刷・成型装置３と、を有している。
【００２６】
前記印刷・成型装置３は、図２に示すように、樹脂板５０に対する所望の画像の印刷を行う印刷手段であるプリンタ１０と、樹脂板５０を加熱する加熱部１２、樹脂板５０に対する成型を行う成型部１３及びトリミング処理を行うトリミング部１４を具備し、印刷処理後の樹脂板５０に対する成型を行う樹脂成型装置１１とを有している。
【００２７】
なお、前記成型部１３に同時トリミング機能を含ませる構成とした場合には前記トリミング部１４を省略した構成とすることもできる。また、プリンタ１０と樹脂成型装置１１とを分離した構成とすることもできる。
【００２８】
前記印刷・成型装置３は、図３に示すように、印刷処理後の樹脂板５０に対して樹脂成型装置１１を構成する金型（下）１５を移動させることにより、樹脂板５０自体を移動しないようにしたり、樹脂板５０自体を移動せず、金型（下）１５を固定し、加熱部１２及び金型（上）１６を移動するように構成することも可能である。また、この場合の移動軌跡は直線移動、円運動でも構わない。これにより、加熱部１２により加熱され柔らかくなった樹脂板５０が移動によって変形したり冷えてしまうことを防止することができる。
【００２９】
前記金型（下）１５、金型（上）１６は、容易に交換可能なカセット方式とし、随時別の金型（下）１５、金型（上）１６に変更することで種々の形状の成型を可能とすることができる。
【００３０】
前記成型制御コンピュータ１は、印刷・成型装置３を制御し、樹脂板５０に印刷し、成型する機能を備えている他、拡大縮小処理、ひずみ補正、トリミング処理等、画像処理全般の操作を自動実行する簡易印刷ソフトウェアを搭載した構成としている。
【００３１】
すなわち、例えばカメラ付きの携帯電話１７や図示しないデジタルカメラ等の携帯情報端末の記録メディア（例えばコンパクトフラッシュ（登録商標）メモリやメモリスティック（商標）等）１８に保存した使用者（ユーザー）好みの画像又はパーソナルコンピュータ１９で作成した使用者（ユーザー）好みのデジタル画像を、成型制御コンピュータ１の例えばハードディスク等の記憶手段に保存する。
【００３２】
保存されたデジタル画像は、画像サイズや解像度が様々であるため、成型制御コンピュータ１の使用者はこの成型制御コンピュータ１のディスプレイに表示されるイメージ画像を見ながら、当該画像の一部分を範囲選択する。
【００３３】
範囲選択後、成型制御コンピュータ１は自動的に画像処理を実行する。すなわち、簡易印刷ソフトウェアによって当該画像の拡大縮小処理、ひずみ補正、トリミング処理等、画像処理全般の操作を自動実行し、処理後の画像を成型イメージ画像として自動的に描画しディスプレイに表示する。これにより、成型イメージ画像を確認することができる。
【００３４】
前記成型イメージ画像は、図１に示すように、樹脂板のイメージに例えば付け爪形状で、且つ、前記使用者の好みの画像に対応した色、模様等を表示した成型部分５１ａ（図１において楕円で示す）を表したものである。
【００３５】
成型イメージ画像が希望したものでなければ、繰り返し記憶手段に保存された画像の一部分を範囲選択し、上述した画像処理を繰りかえす。
なお、携帯電話機用のアプリケーションプログラム、例えば所謂Ｉ−アプリ（商標）や所謂Ｖ−アプリ（商標）と言われるプログラム、手法を用いて行うことで、保存された画像以外で、付け爪等で使用したい画像を数枚撮影して一気に印刷することが可能である。また、携帯電話機のカメラで例えば５枚画像を撮影し、５本全て違う画像を印刷、成型することが可能である。
【００３６】
これにより、好みに応じた成型イメージ画像を取得し、プリンタ１０によって樹脂板５０上に成型イメージ画像を印刷し、更に前記樹脂成型装置１１により成型部分５１ａを成型して所望の形状（例えば付け爪形状）の成型体５１に加工する。また、印刷後の成型イメージ画像の画像データは製造日付等の情報を付して前記データベース２に保存管理する。
【００３７】
本実施例１に係る樹脂板５０の印刷成型システムによれば、前記プリンタ１０によって所望の画像が印刷された樹脂板５０の移動に際して、金型（下）１５に直接位置決め（自動）し、金型（下）１６を移動（加熱部１２→成型部１３）することで、樹脂板５０の変形や樹脂板５０の冷めを解消し、スピーディに印刷・成型を行い、成型体５１を得ることが可能となる。
【００３８】
また、印刷済みの樹脂板５０の移動に際して、金型（下）１５に直接位置決め（自動）し、この金型（下）１５を固定し加熱部１２、成型部１３を移動させることによっても、樹脂板５０の変形や樹脂板５０の冷めを解消し、スピーディに印刷・成型を行い、成型体５１を得ることが可能となる。
【００３９】
更に、本実施例１に係る樹脂板５０の印刷成型システムによれば、難易度の高い専門ソフトウェアを使用することなく、簡易に誰でもデザイン処理・写真等の画像を取り込み成型制御コンピュータ１の制御の基に印刷・成型装置３によって樹脂板５０に対する印刷、樹脂板５０の成型を行い、成型体５１を得ることが可能となる。従って、このような本実施例１に係る樹脂板５０の印刷成型システムによれば、その操作性が簡易なことから、所謂プリクラ（商標）といわれる程度の操作性でもって、樹脂板５０に対する印刷、樹脂板５０の成型を行い、成型体５１を得ることが可能となる。
【００４０】
また、本実施例１に係る樹脂板５０の印刷成型システムによれば、成型制御コンピュータ１にデータベース２を備えることで、過去に蓄積した成型イメージ画像のデータを瞬時に検索し、印刷・成型装置３によって所望の成型体５１を得ることが可能となる。更に、カメラ付きの携帯電話１７等の記録メディア１８を成型制御コンピュータ１の所定のスロット等に差し込むだけで、その画像を使用して簡単にデザイン・印刷・成型が可能となる。
【００４１】
（実施例２）
次に、図４を参照して本考案の実施例２について説明する。
図４は本実施例２における通信ネットワーク型構成からなる樹脂板５０の印刷成型システムを示すものである。
【００４２】
本実施例２に係る印刷成型システムにおいて、成型制御コンピュータ１の構成は、実施例１の場合と同様であるが、成型制御コンピュータ１に対して任意数のクライアントコンピュータ２０をＬＡＮ（ローカルエリアネットワーク）等の通信ネットワーク２１により接続したことが特徴である。
【００４３】
この場合、既述した場合と同様な簡易印刷ソフトウェアは、成型制御コンピュータ１上で動作することができる他、通信ネットワーク２１を構築した環境では通信ネットワーク対応ハードディスクを備えたクライアントコンピュータ２０上で簡易印刷ソフトウェアを動作させることもできる。
【００４４】
本実施例２の印刷成型システムにおいて、カメラ付き携帯電話１７又は図示しないデジタルカメラの記録メディア１８に保存した画像又はクライアントコンピュータ２０で作成したデジタル画像を、記録メディア１８を介して又はそのままクライアントコンピュータ２０のハードディスク等の記憶手段に保存する。
【００４５】
保存されたデジタル画像は、画像サイズや解像度が様々であるため、クライアントコンピュータ２０の使用者はディスプレイ上に表示されるイメージ画像を見ながら、当該画像の一部分を範囲選択する。範囲選択後、クライアントコンピュータ２０は簡易印刷ソフトウェアによって自動的に画像処理を実行する。すなわち、拡大縮小処理、ひずみ補正、トリミング処理等、画像処理全般の操作を自動実行し、処理後の画像を成型イメージ画像として自動的に描画しディスプレイに表示する。これにより、使用者は成型イメージ画像を確認することができる。
【００４６】
成型イメージ画像が希望したものでなければ、繰り返し記憶手段に保存された画像の一部分を範囲選択し、上述した画像処理を繰りかえす。
【００４７】
更に、クライアントコンピュータ２０は、成型イメージ画像を通信ネットワーク２１を介して成型制御コンピュータ１に送信する。
【００４８】
成型制御コンピュータ１は、成型制御プログラムの他に、データベース２のデータベースファイル管理機能を備えており、クライアントコンピュータ２０から送信される画像データの管理を行うとともに、実施例１の場合と同様にして、印刷・成型装置３を制御し、樹脂板５０への印刷、成型体５１の成型を行う。
【００４９】
樹脂板５０への成型画像の印刷、成型体５１の成型が終了したら、成型制御コンピュータ１は通信ネットワーク２１を介して送信元のクライアントコンピュータ２０に成型完了の通知をする。
【００５０】
本実施例２に係る樹脂板５０の印刷成型システムによれば、成型制御コンピュータ１とクライアントコンピュータ２０とを通信ネットワーク２１で接続した環境の基で、実施例１の印刷成型システムの場合と同様の作用、効果を発揮させることができる。
【００５１】
すなわち、本実施例２に係る樹脂板５０の印刷成型システムによれば、クライアントコンピュータ２０から通信ネットワーク２１を介して成型イメージ画像を受信した成型制御コンピュータ１の制御の基に、前記プリンタ１０によって所望の画像が印刷された樹脂板５０の移動に際して、金型（下）１５に直接位置決め（自動）し、金型（下）１６を移動（加熱部１２→成型部１３）することで、樹脂板５０の変形や樹脂板５０の冷めを解消しつつ、スピーディに印刷・成型を行い、成型体５１を得ることが可能となる。
【００５２】
また、印刷済みの樹脂板５０の移動に際して、金型（下）１５に直接位置決め（自動）し、この金型（下）１５を固定し加熱部１２、成型部１３を移動させることによっても、樹脂板５０の変形や樹脂板５０の冷めを解消し、スピーディに印刷・成型を行い、成型体５１を得ることが可能となる。
【００５３】
更に、本実施例２に係る樹脂板５０の印刷成型システムによれば、クライアントコンピュータ２０において、難易度の高い専門ソフトウェアを使用することなく、簡易に誰でもデザイン処理・写真等の画像を取り込み簡易印刷ソフトウェアによって成型イメージ画像を作成し、成型制御コンピュータ１に送信して成型体５１の作成依頼をすることができ、更に、成型制御コンピュータ１から成型完了の通知を受けることで、成型完了状態を把握することができる。
【００５４】
また、本実施例２に係る樹脂板５０の印刷成型システムによれば、成型制御コンピュータ１にデータベース２を備えることで、過去に蓄積した成型イメージ画像のデータを瞬時に検索し、印刷・成型装置３によって所望の成型体５１を得ることが可能となる。
【００５５】
更に、カメラ付きの携帯電話１７等の記録メディア１８をクライアントコンピュータ２０の所定のスロット等に差し込むだけで、使用者はその画像を使用して簡単に成型イメージ画像を作成できる。
【００５６】
（実施例３）
次に、図５を参照して本考案の実施例３に係る樹脂板５０の印刷成型システムについて説明する。
【００５７】
本実施例３においては、成型制御コンピュータ１の構成は、実施例１の場合と同様であるが、成型制御コンピュータ１に対してインターネット接続サービスセンター６１が介在するインターネット網６０を介して任意数のクライアントコンピュータ２０又はカメラ付きの携帯電話１７を接続する構成としたこと、またインターネット網６０に成型イメージ作成サービスサーバー６２を接続する構成としたことが特徴である。
【００５８】
成型イメージ作成サービスサーバー６２は、画像データをＷｅｂサーバ用ＣＧＩ（Ｃｏｍｍｏｎ  Ｇａｔｅｗａｙ  Ｉｎｔｅｒｆａｃｅ）プログラムを搭載している。
【００５９】
なお、本実施例３の印刷成型システムにおいて、カメラ付き携帯電話１７又は図示しないデジタルカメラの記録メディア１８に保存した画像又はクライアントコンピュータ２０で作成したデジタル画像を、記録メディア１８を介して又はそのままクライアントコンピュータ２０のハードディスク等の記憶手段に一旦保存することももちろん可能である。
【００６０】
本実施例３の印刷成型システムにおいて、カメラ付きの携帯電話１７又はクライアントコンピュータ２０は、インターネット接続機能を有するもので、インターネット接続サービスセンター６１はカメラ付きの携帯電話１７又はクライアントコンピュータ２０からの接続要求によってこれらをインターネット網６０に接続する。
【００６１】
成型イメージ作成サービスサーバー６２は、Ｗｅｂサーバ用ＣＧＩプログラムを搭載し、インターネット網６０を介して携帯電話１７のカメラ画像又はクライアントコンピュータ２０で作成したデジタル画像を受信する。
【００６２】
成型イメージ作成サービスサーバー６２は、成型イメージ画像を作成し、携帯電話１７又はクライアントコンピュータ２０はその成型イメージ画像を受信してそのディスプレイにブラウザ画面として描画する。
【００６３】
携帯電話１７又はクライアントコンピュータ２０の使用者は、ブラウザ画面を見て成型イメージ画像を確認後、詳細は後述するが決済処理を行い、成型イメージ作成サービスサーバー６２に当該画像の登録を行う。
【００６４】
前記成型イメージ作成サービスサーバー６２は、成型イメージ画像が登録されて、決済処理が完了した時点で、成型制御コンピュータ１の管理者にメールを転送する。
成型制御コンピュータ１の管理者は、メールに記載されている画像登録情報から当該成型イメージ画像を参照し、前記印刷・成型装置３を使用して樹脂板５０への印刷、樹脂板５０の成型加工を行う。
【００６５】
図６は本実施例３における携帯電話１７のからの画像データ又はクライアントコンピュータ２０で作成した画像データを基に成型イメージ作成サービスサーバー６２の前記ＣＧＩプログラム上で成型イメージ画像を作成し、処理するフローチャートを示すものである。
【００６６】
ユーザー（携帯電話１７又はクライアントコンピュータ２０の使用者）は、携帯電話１７又はクライアントコンピュータ２０からインターネット網６０を介して成型イメージ作成サービスサーバー６２に対して、特定の画像（写真）を添付して指定されたメールアドレス宛にメールを転送する。
【００６７】
成型イメージ作成サービスサーバー６２は、受信したメールに画像が添付されているか、添付画像が規格にあっているか否かを判断し、画像が添付されていないか又は添付画像が規格外である場合には、画像登録失敗である旨のメールを前記ユーザーに送信する。
【００６８】
成型イメージ作成サービスサーバー６２は、添付画像が規格内であれば、成型オーダーサイトのＵＲＬとそのアクセスＩＤをメールにて前記ユーザーに返送する。
【００６９】
メールを受信したユーザーは、メールに記載されているＵＲＬアクセスをブラウザ画面上でクリックして、更に指定ＵＲＬをアクセスし、指定されたアクセスＩＤを入力する。
【００７０】
成型イメージ作成サービスサーバー６２内にあるＷｅｂサーバ用ＣＧＩプログラムは、アクセスＩＤが期限切れであるか否か確認して、期限切れであればアクセス失敗の旨のページを前記ユーザーに向けて送出する。また、Ｗｅｂサーバ用ＣＧＩプログラムは、アクセスＩＤが期限切れでない場合には成型イメージ画像（付け爪作成用の成型イメージ画像）を作成し、携帯電話１７又はクライアントコンピュータ２０用のブラウザ画面に成型イメージ画像を描画する。
【００７１】
前記ユーザーは、成型イメージ画像を視認し、それが適切なものであれば確認ボタンを押下する。このユーザーによる確認の信号は成型イメージ作成サービスサーバー６２に送信され、成型イメージ作成サービスサーバー６２はこれを基に代金支払い方法、その説明、選択画面を当該ユーザーの携帯電話１７又はクライアントコンピュータ２０に送出する。これにより、前記ユーザーによる支払い方法選択処理が実行され、その選択結果が成型イメージ作成サービスサーバー６２に送信される。
【００７２】
この場合の支払い方法としては、郵便局口座振込み、銀行口座振込み、クレジット決済、ＣＶＳ決済、プリペイド決済、ネット決済等を挙げることができるがこれらの決済処理に関しては詳細説明を省略する。
【００７３】
次に、上述したような決済処理が完了後、図７に示すように、成型イメージ作成サービスサーバー６２は、前記ユーザーからの受注情報を記録し、オーダー確認用パスワードを生成する。また、成型イメージ作成サービスサーバー６２は、成型制御コンピュータ１の管理担当者に受注通知メールを送信し、同時に、携帯電話１７又クライアントコンピュータ２０のユーザーに対して、本システムによるオーダー受付確認及び確認用パスワード記載のメールを送信し、更に前記携帯電話１７又クライアントコンピュータ２０にオーダー完了画面を送出する。
【００７４】
図８は本実施例３における成型制御コンピュータ１の管理担当者がオーダー確認処理を行う際のフローチャートを示すものである。
【００７５】
成型イメージ作成サービスサーバー６２から受注通知メールを受信した管理担当者は、成型制御コンピュータ１から成型イメージ作成サービスサーバー６２の担当者用オーダー確認ページにアクセスする。これにより成型イメージ作成サービスサーバー６２はログイン画面を成型制御コンピュータ１に送信する。この結果、成型制御コンピュータ１のブラウザ画面にはログイン表示がされ、管理担当者はこの画面からＩＤ、パスワードを入力し成型イメージ作成サービスサーバー６２に送信する。
【００７６】
成型イメージ作成サービスサーバー６２は、前記管理担当者からのＩＤ、パスワードを照合し、ＩＤ、パスワードが正当でないと判断したときには、アクセス失敗の旨のページを成型制御コンピュータ１に向けて送出する。
また、ＩＤ、パスワードが正当であれば、成型イメージ作成サービスサーバー６２は、オーダー一覧画面（例えば２０件分）を成型制御コンピュータ１の管理担当者に送出する。
この場合、成型イメージ作成サービスサーバー６２から成型制御コンピュータ１に向けて一件ずつの件数送りとすることもできる。
【００７７】
成型制御コンピュータ１の管理担当者は、前記送信されてきたオーダー一覧表から、ある特定のオーダー番号を選択し、選択結果を成型イメージ作成サービスサーバー６２に通知する。
【００７８】
成型イメージ作成サービスサーバー６２は、選択されたオーダー番号に対応して、オーダー詳細画面として、注文ＩＤ、確認用の成型イメージ画像（例えば付け爪確認画像）、オーダー取り消しボタン、オーダー内容変更のための変更ボタン、オーダー情報変更、画像ダウンロードボタン等を含むオーダー情報を生成し、成型制御コンピュータ１に向けて送出する。
【００７９】
成型制御コンピュータ１の管理担当者は、このオーダー詳細画面において、画像ダウンロード、オーダー情報変更、オーダー内容変更、オーダー取り消しの処理を行うことができる。
【００８０】
成型制御コンピュータ１の管理担当者が、樹脂板への印刷、成型作業を行う場合は、画像ダウンロードボタンを押下する。これにより、成型イメージ作成サービスサーバー６２は選択されたオーダー番号に対応する成型イメージ画像を成型制御コンピュータ１に送出する。
【００８１】
この結果、成型制御コンピュータ１において既述した場合と同様に簡易印刷ソフトウェアを用いて、樹脂板５０に対する所望画像の印刷、成型体５１の成型作業を行うことができる。
【００８２】
成型制御コンピュータ１の管理担当者が、クライアントコンピュータ２０又は携帯電話１７側の発注者（ユーザー）からオーダー取り消し、オーダー情報変更依頼の連絡を受けた場合には、管理担当者は成型イメージ作成サービスサーバー６２に管理担当者用ＩＤ、パスワードを送信し、成型イメージ作成サービスサーバー６２にあるデータベース６３上のオーダー情報を削除又は変更する。成型イメージ作成サービスサーバー６２は、データベース情報を更新後、発注者にオーダー取り消しの旨又はオーダー情報変更の旨のメールを送信する。
【００８３】
図９は本実施例３における発注者（ユーザー）がオーダー確認処理を行う場合のフローチャートを示すものである。
【００８４】
発注者は、携帯電話１７又はクライアントコンピュータ２０から成型イメージ作成サービスサーバー６２に対して発注者専用（お客様用）オーダー確認ページをアクセスする。
成型イメージ作成サービスサーバー６２は、当該アクセスに応じてログイン画面を携帯電話１７又はクライアントコンピュータ２０に送出して、これに対して発注者が注文ＩＤ、パスワードを入力すると、これら注文ＩＤ、パスワードを受信した成型イメージ作成サービスサーバー６２は、注文ＩＤ、パスワードが正当であるか否か判断し、正当でない場合にはアクセス失敗の旨のページを携帯電話１７又はクライアントコンピュータ２０に送出する。
【００８５】
また、注文ＩＤ、パスワードが正当であれば、成型イメージ作成サービスサーバー６２は、オーダー詳細画面として、注文ＩＤ、確認用の成型イメージ画像（例えば付け爪確認画像）、届け先、発送状況等を含むオーダー情報を生成し、当該発注者の携帯電話１７又はクライアントコンピュータ２０に送信する。これにより、発注者は自己のオーダー確認処理を簡略に行うことができる。
【００８６】
この後、発注者が携帯電話１７又はクライアントコンピュータ２０においてログアウトボタンを押下すると、この情報を受信した成型イメージ作成サービスサーバー６２はログアウト処理を行い、ログアウト画面を当該携帯電話１７又はクライアントコンピュータ２０に送信する。以上で、発注者のオーダー確認処理に関する一連の処理が終了する。
【００８７】
本実施例３に係る樹脂板５０の印刷成型システムによれは、インターネット網６０の環境下で、携帯電話１７又はクライアントコンピュータ２０のユーザーから送信される画像を基に成型イメージ作成サービスサーバー６２において成型イメージ画像を作成してこれを成型制御コンピュータ１に送信し、成型制御コンピュータ１の制御の基に印刷・成型装置３によって実施例１の場合と同様な所望の成型体５１を得ることができる。
【００８８】
すなわち、インターネット網６０を利用して取り込む画像を基に実施例１、２の場合と同様にして成型イメージ画像を作成し、また、インターネット網６０を利用して取り込む成型イメージ画像を基に実施例１、２の場合と同様にして所望の成型体５１を成型することができる。
【００８９】
また、本実施例３に係る樹脂板５０の印刷成型システムによれば、携帯電話１７又はクライアントコンピュータ２０のユーザーによる所望の成型体５１の基となる画像を送信しての作成依頼、この画像に基づく成型イメージ作成サービスサーバー６２による成型イメージ画像の作成及びユーザーへの確認、ユーザー確認後のオーダー及び代金の決済処理、決済完了後のユーザーへの受付確認通知及び成型制御コンピュータ１の管理担当者への受注通知、成型制御コンピュータ１の管理担当者のオーダー確認、成型イメージ作成サービスサーバー６２からの成型イメージ画像の取得、取得した成型イメージ画像に基づく成型体５１の作成等の各種の処理をインターネット網６０を利用した環境下で的確、且つ、速やかに実行することができる。
【００９０】
これにより、携帯電話１７等のユーザー、成型イメージ作成サービスサーバー６２の使用者、成型制御コンピュータ１の管理担当者の間の所要の情報交換を円滑に行い、システム稼働率の向上を図ることができる。
【００９１】
なお、以上説明した本考案によれば、例えば１つの印刷・成型装置３、樹脂成型装置１１に成型体を複数用意することで一度に多種の形状の付け爪等を製作可能であり、また、１つのパーソナルコンピュータ、クライアントコンピュータのデザインで自動的に多種の形状の付け爪等を製作可能である（例えば付け爪は種々多数の形状があるが、以上説明した本考案によれば、１つのデザインを作成するだけで、時間をかけずに一度に多種の形状の付け爪チップへ印刷、成型することが可能となる）。
【産業上の利用可能性】
【００９２】
本考案は、上述した場合の他、携帯情報端末や記録メディア、コンピュータ装置及び印刷・成型装置を使用して種々の画像付きの成型体、例えばシールやラベル、バッジ等を得る場合に幅広く適用できる。
【図面の簡単な説明】
【００９３】
【図１】本考案の実施例１に係る樹脂板の印刷成型システムの構成を示すブロック図である。
【図２】本実施例１に係る印刷・成型装置のブロック図である。
【図３】本実施例１に係る印刷・成型装置の印刷、成型動作を示す説明図である。
【図４】本考案の実施例２に係る樹脂板の印刷成型システムのブロック図である。
【図５】本考案の実施例３に係る樹脂板の印刷成型システムのブロック図である。
【図６】本実施例３におけるクライアントコンピュータのユーザーと成型イメージ作成サービスサーバーとの間の処理の流れを示すフローチャートである。
【図７】本実施例３における成型イメージ作成サービスサーバーの処理の流れを示すフローチャートである。
【図８】本実施例３における成型イメージ作成サービスサーバーと成型制御コンピュータの管理担当者との間の処理の流れを示すフローチャートである。
【図９】本実施例３におけるユーザーが成型イメージ作成サービスサーバーとの間でオーダー確認処理を行う場合の処理の流れを示すフローチャートである。
【符号の説明】
【００９４】
１    成型制御コンピュータ
２    データベース
３    印刷・成型装置
１０    プリンタ
１１    樹脂成型装置
１２    加熱部
１３    成型部
１４    トリミング部
１７    携帯電話
１８    記録メディア
１９    パーソナルコンピュータ
２０    クライアントコンピュータ
２１    通信ネットワーク
５０    樹脂板
５１ａ  成型部分
５１    成型体
６０    インターネット網
６１    インターネット接続サービスセンター
６２    成型イメージ作成サービスサーバー
６３    データベース
【図１】
0003118991.tif 000003
【図２】
0003118991.tif 000004
【図３】
0003118991.tif 000005
【図４】
0003118991.tif 000006
【図５】
0003118991.tif 000007
【図６】
0003118991.tif 000008
【図７】
0003118991.tif 000009
【図８】
0003118991.tif 000010
【図９】
0003118991.tif 000011